(57)【特許請求の範囲】
【請求項１】
主体を含み、前記主体の上端面にはゴミ入口が固定的に設置され、前記ゴミ入口の下側には脱水装置が設置され、前記脱水装置が前記ゴミ入口から入ったゴミを脱水でき、前記脱水装置の下側には水門装置が設置され、前記水門装置が前記脱水装置の中のゴミの落下を防止でき、同時に前記水門装置を開ける時に前記脱水装置に対する動力供給を断ち、前記水門装置の右側には動力装置が伝動できるように設置され、前記水門装置の下側にはゴミ落とし漏斗が連通され、前記ゴミ落とし漏斗の下側には輸送空間が連通され、前記輸送空間の外側には予熱管が設置され、前記輸送空間の中には輸送回転軸が設置され、前記輸送回転軸の右端が前記動力装置に伝動できるように連結され、前記輸送回転軸には螺旋板が固定的に設置され、前記輸送空間の下端にはベルト空間が連通され、前記ベルト空間の中には左右対称の二つのベルト回転軸が設置され、前記ベルト回転軸の前後両端が前記ベルト空間の前後端壁の中に回転できるように連結され、右側の前記ベルト回転軸の後端が前記動力装置に伝動できるように連結され、前記ベルト回転軸にはベルト回転輪が固定的に設置され、両側の前記ベルト回転輪がベルトにより伝動できるように連結され、両側の前記ベルト回転輪の間には十本の加熱管が均一に設置され、前記ベルト空間の下側には通風装置が設置され、前記通風装置が外部空間の空気を前記ベルト空間の中に送って前記ベルト空間のゴミの水分を取ることができ、前記ベルト空間の上端面の中には換気パイプが設置され、前記換気パイプの後端が外部空間に連通され、前記通風装置の左側にはゴミ出口が設置され、前記ゴミ出口の上端が前記ベルト空間に連通され、前記ベルト空間の左端が外部空間に連通されていることを特徴とする廃水から濾過されたゴミの乾燥装置。
【請求項２】
前記予熱管はゴミが前記輸送空間を通った時にゴミを予熱でき、これにより前記ベルト空間に入った時にゴミはすでに一定の温度があり、前記ベルト空間の中の水分の蒸発を速めることに便利を与えることを特徴とする請求項１に記載の廃水から濾過されたゴミの乾燥装置。
【請求項３】
前記脱水装置は前記ゴミ入口の下側に位置している脱水空間を含み、前記脱水空間の左端が排水管により外部空間に連通され、前記脱水空間の中には脱水桶が回転できるように設置され、前記脱水桶には排水孔が均一に配置され、前記脱水桶の中には四つの間隔網が均一に配置され、前記脱水桶の外側にはリングギヤが固定的に設置され、前記脱水空間の右側には脱水ギヤ空間が設置され、前記リングギヤの右端が前記脱水ギヤ空間の中に位置し、且つ前記リングギヤの右端には脱水ギヤが噛み合われ、前記脱水ギヤの中心部には脱水ベルト従動軸が固定的に設置され、前記脱水ベルト従動軸にはベルト従動プーリが設置され、前記ベルト従動プーリが前記脱水ギヤの下側に位置しており、前記脱水ギヤ空間の右側には脱水ベルト空間が設置され、前記脱水ベルト空間の中には脱水ベルト主動プーリが設置され、前記脱水ベルト主動プーリの中心部にはベルト主動軸が固定的に設置され、前記ベルト主動軸の下端が前記水門装置に伝動できるように連結され、前記脱水ベルト主動プーリと前記ベルト従動プーリとが脱水ベルトにより伝動できるように連結されていることを特徴とする請求項１に記載の廃水から濾過されたゴミの乾燥装置。
【請求項４】
前記間隔網は前記脱水桶が回転する時に前記脱水桶の中にあるゴミを回転連動させることができ、脱水の効果を保証できることを特徴とする請求項３に記載の廃水から濾過されたゴミの乾燥装置。
【請求項５】
前記水門装置は前記脱水空間の下側に位置している水門スライド空間を含み、前記水門スライド空間の中には水門がスライドできるように設置され、前記水門スライド空間の後側にはシリンダーが設置され、前記シリンダーの左端にはシリンダーコンロッドが伝動できるように連結され、前記シリンダーコンロッドの左端が前記水門スライド空間に延在し、且つ前記水門の後端面に固定的に設置され、前記水門スライド空間の右側には分離スライド空間が設置され、前記分離スライド空間の中には分離スライダがスライドできるように設置され、前記分離スライダの右端には分離ばねが固定的に連結され、前記分離スライダの左端が分離押しロッドと当接し、前記分離押しロッドの左端が前記水門スライド空間に延在し、且つ前記水門の右端面に固定的に設置され、前記分離スライド空間の右端には分離ギヤ空間が設置され、前記分離ギヤ空間の中には分離軸が設置され、前記分離軸の左端が前記分離スライダの右端面に回転できるように連結され、前記分離軸のうち前記分離ギヤ空間の中に位置している部分には分離ベベルギヤが固定的に設置され、前記ベルト主動軸の下端が前記分離ギヤ空間に延在し、且つ前記ベルト主動軸の下端には脱水ベベルギヤが固定的に設置され、前記脱水ベベルギヤの左側が前記分離ベベルギヤに噛み合い、前記分離軸の右側には連動軸が設置され、前記連動軸と前記分離軸とがスプラインにより連結され、前記連動軸の右端が前記動力装置に伝動できるように連結されていることを特徴とする請求項３に記載の廃水から濾過されたゴミの乾燥装置。
【請求項６】
前記分離押しロッドと前記分離スライダとが当接しているが固定的に連結されていなく、前記水門が前記分離押しロッドを左方へ移動連動させる時に、前記分離ばねの作用のもとで前記分離スライダが前記分離スライド空間の中で左方へ移動し、且つ前記分離スライダの左端面と前記分離スライド空間の左端とが当接する時に止まり、前記水門が前記分離押しロッドを右方へ移動連動させる時に、前記分離押しロッドの右端が前記分離スライド空間に延在し、且つ前記分離スライダの左端壁面に当接し、また前記分離押しロッドが前記分離スライダを押し動かして右方へ移動させることを特徴とする請求項５に記載の廃水から濾過されたゴミの乾燥装置。
【請求項７】
前記動力装置は前記分離ギヤ空間の右側に位置している第一ギヤ空間を含み、前記連動軸の右端が前記第一ギヤ空間に延在し、且つ前記連動軸の右端には第一ベベルギヤが固定的に設置され、前記第一ベベルギヤの後側には第二ベベルギヤが噛み合われ、前記第二ベベルギヤの中心部にはモータ軸が固定的に設置され、前記第一ギヤ空間の後側にはモータギヤ空間が設置され、前記モータギヤ空間の後端壁の中には動力モータが固定的に設置され、前記モータ軸の後端が前記動力モータに伝動できるように連結され、前記モータ軸のうち前記モータギヤ空間の中に位置している部分にはモータベベルギヤが固定的に設置され、前記モータベベルギヤの下側には第三ベベルギヤが噛み合われ、前記第三ベベルギヤの中心部には縦軸が固定的に設置されていることを特徴とする請求項５に記載の廃水から濾過されたゴミの乾燥装置。
【請求項８】
前記モータギヤ空間の下側には第二ギヤ空間が設置され、前記縦軸が前記第二ギヤ空間を貫通し、且つ前記縦軸には第四ベベルギヤが固定的に設置され、前記第四ベベルギヤの前側には第五ベベルギヤが噛み合われ、前記第五ベベルギヤの中心部には輸送動力軸が固定的に設置され、前記第四ベベルギヤの前側には輸送ギヤ空間が設置され、前記輸送動力軸の前端が前記輸送ギヤ空間に延在し、且つ前記輸送動力軸の前端には第六ベベルギヤが固定的に設置され、前記第六ベベルギヤには輸送ベベルギヤが噛み合われ、前記輸送ベベルギヤの左端面と前記輸送回転軸の右端とが固定的に連結され、前記第二ギヤ空間の下側には第三ギヤ空間が設置され、前記縦軸が前記第三ギヤ空間を貫通し、且つ前記縦軸には第七ベベルギヤが固定的に設置され、前記第七ベベルギヤの前端にはベルトベベルギヤが噛み合われ、右側の前記ベルト回転軸の後端が前記第三ギヤ空間の中に延在し、前記ベルトベベルギヤが前記ベルト回転軸の後端に固定的に設置され、前記第三ギヤ空間の下側には第四ギヤ空間が設置され、前記縦軸の下端が前記第四ギヤ空間に延在し、且つ前記縦軸の下端には第八ベベルギヤが固定的に設置され、前記第八ベベルギヤの前端には第九ベベルギヤが噛み合われ、前記第九ベベルギヤの中心部にはファン動力軸が固定的に設置され、前記ファン動力軸の前端が前記通風装置に伝動できるように連結されていることを特徴とする請求項７に記載の廃水から濾過されたゴミの乾燥装置。
【請求項９】
前記通風装置は前記ベルト空間の下端壁の中に位置している風入り通路を含み、前記風入り通路が前記ゴミ出口の右側に位置しており、前記風入り通路の中には横木が固定的に設置され、前記横木の前後両端が前記風入り通路の内壁に固定的に連結され、前記横木の中にはファンギヤ空間が設置され、前記ファン動力軸の前端が前記ファンギヤ空間に延在し、且つ前記ファン動力軸の前端には第十ベベルギヤが固定的に設置され、前記第十ベベルギヤの左側にはファンベベルギヤが噛み合われ、前記ファンベベルギヤの中心部にはファン回転軸が固定的に設置され、前記ファン回転軸の左端が前記風入り通路に延在し、且つ前記ファン回転軸の左端にはファンが固定的に設置されていることを特徴とする請求項８に記載の廃水から濾過されたゴミの乾燥装置。
【発明の詳細な説明】
【技術分野】
【０００１】
本発明はゴミ乾燥技術分野を取り上げて、具体的には廃水から濾過されたゴミの乾燥装置である。
【背景技術】
【０００２】
社会の進歩につれ、人口が絶えず増加していき、ゴミの数も日に日に増加していき、川や廃水の中のゴミは引き上げられてから晒され、大部分の水分を排出した後に二次分別を行い、従来のゴミ乾燥は主に日光で干し乾かす方式を採用し、時間がかかり、且つたくさんの人でゴミをかき回す必要があり、作業の効率が低く、同時に、ゴミを晒す時に大きなスペースを占めなくてはいけなく、土地の資源の浪費をもたらし、またゴミを干し乾かす過程において異臭が漂い、環境の衛生に悪影響を与える。
【先行技術文献】
【特許文献】
【０００３】
【特許文献１】中国特許出願公開第１０８８７０９１２号明細書
【発明の概要】
【発明が解決しようとする課題】
【０００４】
本発明は廃水から濾過されたゴミの乾燥装置を提供し、従来技術における上記欠点を解消することを目的とする。
【課題を解決するための手段】
【０００５】
本発明の廃水から濾過されたゴミの乾燥装置の実施例は主体を含み、前記主体の上端面にはゴミ入口が固定的に設置され、前記ゴミ入口の下側には脱水装置が設置され、前記脱水装置が前記ゴミ入口から入ったゴミを脱水でき、前記脱水装置の下側には水門装置が設置され、前記水門装置が前記脱水装置の中のゴミの落下を防止でき、同時に前記水門装置を開ける時に前記脱水装置に対する動力供給を断ち、前記水門装置の右側には動力装置が伝動できるように設置され、前記水門装置の下側にはゴミ落とし漏斗が連通され、前記ゴミ落とし漏斗の下側には輸送空間が連通され、前記輸送空間の外側には予熱管が設置され、前記輸送空間の中には輸送回転軸が設置され、前記輸送回転軸の右端が前記動力装置に伝動できるように連結され、前記輸送回転軸には螺旋板が固定的に設置され、前記輸送空間の下端にはベルト空間が連通され、前記ベルト空間の中には左右対称の二つのベルト回転軸が設置され、前記ベルト回転軸の前後両端が前記ベルト空間の前後端壁の中に回転できるように連結され、右側の前記ベルト回転軸の後端が前記動力装置に伝動できるように連結され、前記ベルト回転軸にはベルト回転輪が固定的に設置され、両側の前記ベルト回転輪がベルトにより伝動できるように連結され、両側の前記ベルト回転輪の間には十本の加熱管が均一に設置され、前記ベルト空間の下側には通風装置が設置され、前記通風装置が外部空間の空気を前記ベルト空間の中に送って前記ベルト空間のゴミの水分を取ることができ、前記ベルト空間の上端面の中には換気パイプが設置され、前記換気パイプの後端が外部空間に連通され、前記通風装置の左側にはゴミ出口が設置され、前記ゴミ出口の上端が前記ベルト空間に連通され、前記ベルト空間の左端が外部空間に連通されている。
【０００６】
更なる技術プランとしては、前記予熱管はゴミが前記輸送空間を通った時にゴミを予熱でき、これにより前記ベルト空間に入った時にゴミはすでに一定の温度があり、前記ベルト空間の中の水分の蒸発を速めることに便利を与える。
【０００７】
更なる技術プランとしては、前記脱水装置は前記ゴミ入口の下側に位置している脱水空間を含み、前記脱水空間の左端が排水管により外部空間に連通され、前記脱水空間の中には脱水桶が回転できるように設置され、前記脱水桶には排水孔が均一に配置され、前記脱水桶の中には四つの間隔網が均一に配置され、前記脱水桶の外側にはリングギヤが固定的に設置され、前記脱水空間の右側には脱水ギヤ空間が設置され、前記リングギヤの右端が前記脱水ギヤ空間の中に位置し、且つ前記リングギヤの右端には脱水ギヤが噛み合われ、前記脱水ギヤの中心部には脱水ベルト従動軸が固定的に設置され、前記脱水ベルト従動軸にはベルト従動プーリが設置され、前記ベルト従動プーリが前記脱水ギヤの下側に位置しており、前記脱水ギヤ空間の右側には脱水ベルト空間が設置され、前記脱水ベルト空間の中には脱水ベルト主動プーリが設置され、前記脱水ベルト主動プーリの中心部にはベルト主動軸が固定的に設置され、前記ベルト主動軸の下端が前記水門装置に伝動できるように連結され、前記脱水ベルト主動プーリと前記ベルト従動プーリとが脱水ベルトにより伝動できるように連結されている。
【０００８】
更なる技術プランとしては、前記間隔網は前記脱水桶が回転する時に前記脱水桶の中にあるゴミを回転連動させることができ、脱水の効果を保証できる。
【０００９】
更なる技術プランとしては、前記水門装置は前記脱水空間の下側に位置している水門スライド空間を含み、前記水門スライド空間の中には水門がスライドできるように設置され、前記水門スライド空間の後側にはシリンダーが設置され、前記シリンダーの左端にはシリンダーコンロッドが伝動できるように連結され、前記シリンダーコンロッドの左端が前記水門スライド空間に延在し、且つ前記水門の後端面に固定的に設置され、前記水門スライド空間の右側には分離スライド空間が設置され、前記分離スライド空間の中には分離スライダがスライドできるように設置され、前記分離スライダの右端には分離ばねが固定的に連結され、前記分離スライダの左端が分離押しロッドと当接し、前記分離押しロッドの左端が前記水門スライド空間に延在し、且つ前記水門の右端面に固定的に設置され、前記分離スライド空間の右端には分離ギヤ空間が設置され、前記分離ギヤ空間の中には分離軸が設置され、前記分離軸の左端が前記分離スライダの右端面に回転できるように連結され、前記分離軸のうち前記分離ギヤ空間の中に位置している部分には分離ベベルギヤが固定的に設置され、前記ベルト主動軸の下端が前記分離ギヤ空間に延在し、且つ前記ベルト主動軸の下端には脱水ベベルギヤが固定的に設置され、前記脱水ベベルギヤの左側が前記分離ベベルギヤに噛み合い、前記分離軸の右側には連動軸が設置され、前記連動軸と前記分離軸とがスプラインにより連結され、前記連動軸の右端が前記動力装置に伝動できるように連結されている。
【００１０】
更なる技術プランとしては、前記分離押しロッドと前記分離スライダとが当接しているが固定的に連結されていなく、前記水門が前記分離押しロッドを左方へ移動連動させる時に、前記分離ばねの作用のもとで前記分離スライダが前記分離スライド空間の中で左方へ移動し、且つ前記分離スライダの左端面と前記分離スライド空間の左端とが当接する時に止まり、前記水門が前記分離押しロッドを右方へ移動連動させる時に、前記分離押しロッドの右端が前記分離スライド空間に延在し、且つ前記分離スライダの左端壁面に当接し、また前記分離押しロッドが前記分離スライダを押し動かして右方へ移動させる。
【００１１】
更なる技術プランとしては、前記動力装置は前記分離ギヤ空間の右側に位置している第一ギヤ空間を含み、前記連動軸の右端が前記第一ギヤ空間に延在し、且つ前記連動軸の右端には第一ベベルギヤが固定的に設置され、前記第一ベベルギヤの後側には第二ベベルギヤが噛み合われ、前記第二ベベルギヤの中心部にはモータ軸が固定的に設置され、前記第一ギヤ空間の後側にはモータギヤ空間が設置され、前記モータギヤ空間の後端壁の中には動力モータが固定的に設置され、前記モータ軸の後端が前記動力モータに伝動できるように連結され、前記モータ軸のうち前記モータギヤ空間の中に位置している部分にはモータベベルギヤが固定的に設置され、前記モータベベルギヤの下側には第三ベベルギヤが噛み合われ、前記第三ベベルギヤの中心部には縦軸が固定的に設置され、前記モータギヤ空間の下側には第二ギヤ空間が設置され、前記縦軸が前記第二ギヤ空間を貫通し、且つ前記縦軸には第四ベベルギヤが固定的に設置され、前記第四ベベルギヤの前側には第五ベベルギヤが噛み合われ、前記第五ベベルギヤの中心部には輸送動力軸が固定的に設置され、前記第四ベベルギヤの前側には輸送ギヤ空間が設置され、前記輸送動力軸の前端が前記輸送ギヤ空間に延在し、且つ前記輸送動力軸の前端には第六ベベルギヤが固定的に設置され、前記第六ベベルギヤには輸送ベベルギヤが噛み合われ、前記輸送ベベルギヤの左端面と前記輸送回転軸の右端とが固定的に連結され、前記第二ギヤ空間の下側には第三ギヤ空間が設置され、前記縦軸が前記第三ギヤ空間を貫通し、且つ前記縦軸には第七ベベルギヤが固定的に設置され、前記第七ベベルギヤの前端にはベルトベベルギヤが噛み合われ、右側の前記ベルト回転軸の後端が前記第三ギヤ空間の中に延在し、前記ベルトベベルギヤが前記ベルト回転軸の後端に固定的に設置され、前記第三ギヤ空間の下側には第四ギヤ空間が設置され、前記縦軸の下端が前記第四ギヤ空間に延在し、且つ前記縦軸の下端には第八ベベルギヤが固定的に設置され、前記第八ベベルギヤの前端には第九ベベルギヤが噛み合われ、前記第九ベベルギヤの中心部にはファン動力軸が固定的に設置され、前記ファン動力軸の前端が前記通風装置に伝動できるように連結されている。
【００１２】
更なる技術プランとしては、前記通風装置は前記ベルト空間の下端壁の中に位置している風入り通路を含み、前記風入り通路が前記ゴミ出口の右側に位置しており、前記風入り通路の中には横木が固定的に設置され、前記横木の前後両端が前記風入り通路の内壁に固定的に連結され、前記横木の中にはファンギヤ空間が設置され、前記ファン動力軸の前端が前記ファンギヤ空間に延在し、且つ前記ファン動力軸の前端には第十ベベルギヤが固定的に設置され、前記第十ベベルギヤの左側にはファンベベルギヤが噛み合われ、前記ファンベベルギヤの中心部にはファン回転軸が固定的に設置され、前記ファン回転軸の左端が前記風入り通路に延在し、且つ前記ファン回転軸の左端にはファンが固定的に設置されている。
【発明の効果】
【００１３】
本発明の有益効果は：本発明はマルチレベルの乾燥方式で、まずゴミを振って大部分の水分を排出し、そしてゴミを加熱することで残る水分を蒸発し、また空気の流通によって水分を取って乾燥の目的に達し、装置全体の占めた面積が小さく、大勢の人の参加が必要ではなく、乾燥速度が速く、効果がよく、作業の効率を向上させられ、陰雨天気の影響を受けず、いつでも作業を行える。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の廃水から濾過されたゴミの乾燥装置の全体構成模式図
【図２】図２は図１の「Ａ」の拡大構成模式図
【図３】図３は図１の「Ｂ」の拡大構成模式図
【図４】図４は図１の「Ｃ―Ｃ」方向からの構成模式図
【図５】図５は図１の「Ｄ―Ｄ」方向からの構成模式図
【図６】図６は図１の「Ｅ―Ｅ」方向からの構成模式図
【図７】図７は図６の「Ｆ」の拡大構成模式図
【発明を実施するための形態】
【００１６】
図１〜７を参照し、本発明の実施例の廃水から濾過されたゴミの乾燥装置は主体２１を含み、前記主体２１の上端面にはゴミ入口２２が固定的に設置され、前記ゴミ入口２２の下側には脱水装置２０１が設置され、前記脱水装置２０１が前記ゴミ入口２２から入ったゴミを脱水でき、前記脱水装置２０１の下側には水門装置２０２が設置され、前記水門装置２０２が前記脱水装置２０１の中のゴミの落下を防止でき、同時に前記水門装置２０２を開ける時に前記脱水装置２０１に対する動力供給を断ち、前記水門装置２０２の右側には動力装置２０３が伝動できるように設置され、前記水門装置２０２の下側にはゴミ落とし漏斗２３が連通され、前記ゴミ落とし漏斗２３の下側には輸送空間２４が連通され、前記輸送空間２４の外側には予熱管９１が設置され、前記輸送空間２４の中には輸送回転軸２５が設置され、前記輸送回転軸２５の右端が前記動力装置２０３に伝動できるように連結され、前記輸送回転軸２５には螺旋板２６が固定的に設置され、前記輸送空間２４の下端にはベルト空間２７が連通され、前記ベルト空間２７の中には左右対称の二つのベルト回転軸２８が設置され、前記ベルト回転軸２８の前後両端が前記ベルト空間２７の前後端壁の中に回転できるように連結され、右側の前記ベルト回転軸２８の後端が前記動力装置２０３に伝動できるように連結され、前記ベルト回転軸２８にはベルト回転輪２９が固定的に設置され、両側の前記ベルト回転輪２９がベルト３１により伝動できるように連結され、両側の前記ベルト回転輪２９の間には十本の加熱管９２が均一に設置され、前記ベルト空間２７の下側には通風装置２０４が設置され、前記通風装置２０４が外部空間の空気を前記ベルト空間２７の中に送って前記ベルト空間２７のゴミの水分を取ることができ、前記ベルト空間２７の上端面の中には換気パイプ９５が設置され、前記換気パイプ９５の後端が外部空間に連通され、前記通風装置２０４の左側にはゴミ出口３２が設置され、前記ゴミ出口３２の上端が前記ベルト空間２７に連通され、前記ベルト空間２７の左端が外部空間に連通されている。
【００１７】
有益的には、前記予熱管９１はゴミが前記輸送空間２４を通った時にゴミを予熱でき、これにより前記ベルト空間２７に入った時にゴミはすでに一定の温度があり、前記ベルト空間２７の中の水分の蒸発を速めることに便利を与える。
【００１８】
有益的には、前記脱水装置２０１は前記ゴミ入口２２の下側に位置している脱水空間３３を含み、前記脱水空間３３の左端が排水管９８により外部空間に連通され、前記脱水空間３３の中には脱水桶３４が回転できるように設置され、前記脱水桶３４には排水孔３５が均一に配置され、前記脱水桶３４の中には四つの間隔網３６が均一に配置され、前記脱水桶３４の外側にはリングギヤ３７が固定的に設置され、前記脱水空間３３の右側には脱水ギヤ空間３８が設置され、前記リングギヤ３７の右端が前記脱水ギヤ空間３８の中に位置し、且つ前記リングギヤ３７の右端には脱水ギヤ３９が噛み合われ、前記脱水ギヤ３９の中心部には脱水ベルト従動軸４１が固定的に設置され、前記脱水ベルト従動軸４１にはベルト従動プーリ４２が設置され、前記ベルト従動プーリ４２が前記脱水ギヤ３９の下側に位置しており、前記脱水ギヤ空間３８の右側には脱水ベルト空間４３が設置され、前記脱水ベルト空間４３の中には脱水ベルト主動プーリ４４が設置され、前記脱水ベルト主動プーリ４４の中心部にはベルト主動軸４５が固定的に設置され、前記ベルト主動軸４５の下端が前記水門装置２０２に伝動できるように連結され、前記脱水ベルト主動プーリ４４と前記ベルト従動プーリ４２とが脱水ベルト４６により伝動できるように連結されている。
【００１９】
有益的には、前記間隔網３６は前記脱水桶３４が回転する時に前記脱水桶３４の中にあるゴミを回転連動させることができ、脱水の効果を保証できる。
【００２０】
有益的には、前記水門装置２０２は前記脱水空間３３の下側に位置している水門スライド空間４７を含み、前記水門スライド空間４７の中には水門４８がスライドできるように設置され、前記水門スライド空間４７の後側にはシリンダー４９が設置され、前記シリンダー４９の左端にはシリンダーコンロッド５１が伝動できるように連結され、前記シリンダーコンロッド５１の左端が前記水門スライド空間４７に延在し、且つ前記水門４８の後端面に固定的に設置され、前記水門スライド空間４７の右側には分離スライド空間５２が設置され、前記分離スライド空間５２の中には分離スライダ５３がスライドできるように設置され、前記分離スライダ５３の右端には分離ばね５４が固定的に連結され、前記分離スライダ５３の左端が分離押しロッド５５と当接し、前記分離押しロッド５５の左端が前記水門スライド空間４７に延在し、且つ前記水門４８の右端面に固定的に設置され、前記分離スライド空間５２の右端には分離ギヤ空間５６が設置され、前記分離ギヤ空間５６の中には分離軸５７が設置され、前記分離軸５７の左端が前記分離スライダ５３の右端面に回転できるように連結され、前記分離軸５７のうち前記分離ギヤ空間５６の中に位置している部分には分離ベベルギヤ５８が固定的に設置され、前記ベルト主動軸４５の下端が前記分離ギヤ空間５６に延在し、且つ前記ベルト主動軸４５の下端には脱水ベベルギヤ５９が固定的に設置され、前記脱水ベベルギヤ５９の左側が前記分離ベベルギヤ５８に噛み合い、前記分離軸５７の右側には連動軸６１が設置され、前記連動軸６１と前記分離軸５７とがスプラインにより連結され、前記連動軸６１の右端が前記動力装置２０３に伝動できるように連結されている。
【００２１】
前記分離押しロッド５５と前記分離スライダ５３とが当接しているが固定的に連結されていなく、前記水門４８が前記分離押しロッド５５を左方へ移動連動させる時に、前記分離ばね５４の作用のもとで前記分離スライダ５３が前記分離スライド空間５２の中で左方へ移動し、且つ前記分離スライダ５３の左端面と前記分離スライド空間５２の左端とが当接する時に止まり、前記水門４８が前記分離押しロッド５５を右方へ移動連動させる時に、前記分離押しロッド５５の右端が前記分離スライド空間５２に延在し、且つ前記分離スライダ５３の左端壁面に当接し、また前記分離押しロッド５５が前記分離スライダ５３を押し動かして右方へ移動させる。
【００２２】
有益的には、前記動力装置２０３は前記分離ギヤ空間５６の右側に位置している第一ギヤ空間６２を含み、前記連動軸６１の右端が前記第一ギヤ空間６２に延在し、且つ前記連動軸６１の右端には第一ベベルギヤ６３が固定的に設置され、前記第一ベベルギヤ６３の後側には第二ベベルギヤ６４が噛み合われ、前記第二ベベルギヤ６４の中心部にはモータ軸６５が固定的に設置され、前記第一ギヤ空間６２の後側にはモータギヤ空間６６が設置され、前記モータギヤ空間６６の後端壁の中には動力モータ６７が固定的に設置され、前記モータ軸６５の後端が前記動力モータ６７に伝動できるように連結され、前記モータ軸６５のうち前記モータギヤ空間６６の中に位置している部分にはモータベベルギヤ６８が固定的に設置され、前記モータベベルギヤ６８の下側には第三ベベルギヤ６９が噛み合われ、前記第三ベベルギヤ６９の中心部には縦軸７１が固定的に設置され、前記モータギヤ空間６６の下側には第二ギヤ空間７２が設置され、前記縦軸７１が前記第二ギヤ空間７２を貫通し、且つ前記縦軸７１には第四ベベルギヤ７３が固定的に設置され、前記第四ベベルギヤ７３の前側には第五ベベルギヤ７４が噛み合われ、前記第五ベベルギヤ７４の中心部には輸送動力軸７５が固定的に設置され、前記第四ベベルギヤ７３の前側には輸送ギヤ空間７６が設置され、前記輸送動力軸７５の前端が前記輸送ギヤ空間７６に延在し、且つ前記輸送動力軸７５の前端には第六ベベルギヤ７７が固定的に設置され、前記第六ベベルギヤ７７には輸送ベベルギヤ７８が噛み合われ、前記輸送ベベルギヤ７８の左端面と前記輸送回転軸２５の右端とが固定的に連結され、前記第二ギヤ空間７２の下側には第三ギヤ空間７９が設置され、前記縦軸７１が前記第三ギヤ空間７９を貫通し、且つ前記縦軸７１には第七ベベルギヤ８１が固定的に設置され、前記第七ベベルギヤ８１の前端にはベルトベベルギヤ８２が噛み合われ、右側の前記ベルト回転軸２８の後端が前記第三ギヤ空間７９の中に延在し、前記ベルトベベルギヤ８２が前記ベルト回転軸２８の後端に固定的に設置され、前記第三ギヤ空間７９の下側には第四ギヤ空間８３が設置され、前記縦軸７１の下端が前記第四ギヤ空間８３に延在し、且つ前記縦軸７１の下端には第八ベベルギヤ８４が固定的に設置され、前記第八ベベルギヤ８４の前端には第九ベベルギヤ８５が噛み合われ、前記第九ベベルギヤ８５の中心部にはファン動力軸８６が固定的に設置され、前記ファン動力軸８６の前端が前記通風装置２０４に伝動できるように連結されている。
【００２３】
有益的には、前記通風装置２０４は前記ベルト空間２７の下端壁の中に位置している風入り通路８７を含み、前記風入り通路８７が前記ゴミ出口３２の右側に位置しており、前記風入り通路８７の中には横木８８が固定的に設置され、前記横木８８の前後両端が前記風入り通路８７の内壁に固定的に連結され、前記横木８８の中にはファンギヤ空間８９が設置され、前記ファン動力軸８６の前端が前記ファンギヤ空間８９に延在し、且つ前記ファン動力軸８６の前端には第十ベベルギヤ９６が固定的に設置され、前記第十ベベルギヤ９６の左側にはファンベベルギヤ９７が噛み合われ、前記ファンベベルギヤ９７の中心部にはファン回転軸９３が固定的に設置され、前記ファン回転軸９３の左端が前記風入り通路８７に延在し、且つ前記ファン回転軸９３の左端にはファン９４が固定的に設置されている。
【００２４】
初期状態において、水門４８の右端面が水門スライド空間４７の右端壁と当接し、分離押しロッド５５が分離スライダ５３を押し動かし、これにより分離スライダ５３の右端面を分離スライド空間５２の右端壁と当接させ、これにより分離ベベルギヤ５８と脱水ベベルギヤ５９とを噛み合わせ、動力モータ６７が作動しない。
【００２５】
作業が始まる時、ゴミをゴミ入口２２から脱水桶３４の中に入れた後に動力モータ６７を始動し、動力モータ６７がモータ軸６５を回転連動させ、更に第二ベベルギヤ６４と第一ベベルギヤ６３との噛み合いにより連動軸６１を回転連動させ、また、分離ベベルギヤ５８と脱水ベベルギヤ５９との噛み合いにより、ベルト主動軸４５を回転連動させ、更に脱水ベルト４６と、脱水ベルト主動プーリ４４と、ベルト従動プーリ４２との協働で、脱水ベルト従動軸４１を回転連動させ、また、脱水ギヤ３９とリングギヤ３７との噛み合いにより脱水桶３４を回転連動させ、これにより脱水桶３４の中のゴミを脱水でき、排出された水が排水孔３５を通じて脱水空間３３の中に入って排水管９８により外部空間に流れ、脱水桶３４の中のゴミを脱水し終えた後、シリンダー４９がシリンダーコンロッド５１を連動させて水門４８を左方へ移動させ、更に分離押しロッド５５を左方へ移動させ、分離スライダ５３が分離ばね５４の作用のもとで左方へ移動し、これにより分離ベベルギヤ５８と脱水ベベルギヤ５９とを分離させ、更に脱水桶３４が動力を失って回転しなくなり、水門４８の左端が水門スライド空間４７の左端壁に当接した時に脱水桶３４の下端がゴミ落とし漏斗２３に連通し、脱水桶３４の中のゴミがゴミ落とし漏斗２３の中に落ち、そしてシリンダー４９がシリンダーコンロッド５１を連動させて水門４８を右方へ移動させ、脱水桶３４とゴミ落とし漏斗２３とが分離し、これによりあらためてゴミ入口２２の中に次のゴミを入れることができる。
【００２６】
動力モータ６７が作動する時、予熱管９１と加熱管９２とがいずれも作動し始め、モータベベルギヤ６８と第三ベベルギヤ６９との噛み合いにより縦軸７１を回転連動させ、更に第五ベベルギヤ７４と第四ベベルギヤ７３との噛み合いにより輸送動力軸７５を回転連動させ、また、第六ベベルギヤ７７と輸送ベベルギヤ７８との噛み合いにより、輸送回転軸２５を回転連動させ、ゴミ落とし漏斗２３の中に落ちたゴミが螺旋板２６に駆動されて輸送空間２４を経由してベルト空間２７に入り、この過程の中で予熱管９１が輸送空間２４の中のゴミを予熱し、第七ベベルギヤ８１とベルトベベルギヤ８２との噛み合いにより、ベルト回転軸２８を回転連動させ、更にベルト３１を移動させ、ゴミが輸送空間２４を経由してベルト空間２７に入った後にベルト３１の上端面に落ち、そしてベルト３１とともに左方へ運動し、同時に加熱管９２がゴミをさらに乾燥し、第八ベベルギヤ８４と第四ギヤ空間８３との噛み合いによりファン動力軸８６を回転連動させ、更に第十ベベルギヤ９６とファンベベルギヤ９７との噛み合いによりファン９４を回転させ、外部空間の空気を風入り通路８７によりベルト空間２７に吸い込み、これにより蒸発した水分は空気につれて換気パイプ９５に排出され、乾燥されたゴミはベルト３１の左端に至った時にゴミ出口３２の中に落ちて集中処理を受ける。
【００２７】
本発明の有益効果は：本発明はマルチレベルの乾燥方式で、まずゴミを振って大部分の水分を排出し、そしてゴミを加熱することで残る水分を蒸発し、また空気の流通によって水分を取って乾燥の目的に達し、装置全体の占めた面積が小さく、大勢の人の参加が必要でなく、乾燥速度が速く、効果がよく、作業の効率を向上させられ、陰雨天気の影響を受けず、いつでも作業を行える。
【００２８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明は廃水から濾過されたゴミの乾燥装置を開示した。
【解決手段】
主体を含み、前記主体の上端面にはゴミ入口が固定的に設置され、前記ゴミ入口の下側には脱水装置が設置され、前記脱水装置が前記ゴミ入口から入ったゴミを脱水でき、前記脱水装置の下側には水門装置が設置され、本発明はマルチレベルの乾燥方式で、まずゴミを振って大部分の水分を排出し、そしてゴミを加熱することで残る水分を蒸発し、また空気の流通によって水分を取って乾燥の目的に達し、装置全体の占めた面積が小さく、大勢の人の参加が必要ではなく、乾燥速度が速く、効果がよく、作業の効率を向上させられ、陰雨天気の影響を受けず、いつでも作業を行える。
【選択図】図１【図１】
0006802423.tif 000002
【図２】
0006802423.tif 000003
【図３】
0006802423.tif 000004
【図４】
0006802423.tif 000005
【図５】
0006802423.tif 000006
【図６】
0006802423.tif 000007
【図７】
0006802423.tif 000008